(57)【要約】【課題】褥瘡が防止され、かつコンパクトであるマット装置６の提供。【解決手段】マット装置６は、マット部８と圧力調整部１０とを備えている。マット部８は、第一セル１２及び第二セル１４を有している。第一セル１２及び第二セル１４は、それぞれ、変形復元性を有する多孔質体とこの多孔質体を気密に包み込む袋体とを有している。圧力調整部１０は、コンプレッサー２８、第一バルブ３０、第二バルブ３２、第三バルブ３４、第四バルブ３５及び制御部３６を備えている。第一バルブ３０が「ＯＮ」であり、第二バルブ３２が「ＯＦＦ」のとき、第一セル１２から排出された空気が、コンプレッサー２８を通じて第二セル１４に注入される。第一バルブ３０が「ＯＦＦ」であり、第二バルブ３２が「ＯＮ」のとき、第二セル１４から排出された空気が、コンプレッサー２８を通じて第一セル１２に注入される。【選択図】図１
2009082216.tif 000002
【特許請求の範囲】
【請求項１】
マット部と圧力調整部とを備えており、
このマット部が、第一セル及び第二セルを含んでおり、
この第一セル及び第二セルが、それぞれ、変形復元性を有する多孔質体と、この多孔質体を気密に包み込む袋体とを有しており、
上記圧力調整部が、第一セルへの流体の注入及び第一セルからの流体の排出を制御し、かつ第二セルへの流体の注入及び第二セルからの流体の排出を制御しうるマット装置。
【請求項２】
上記圧力調整部が、第一セルから排出された流体を第二セルに注入し、第二セルから排出された流体を第二セルに注入しうる請求項１に記載のマット装置。
【請求項３】
上記圧力調整部材が、第一バルブ、第二バルブ、第三バルブ、第四バルブ及びコンプレッサーを備えており、
この第一バルブ及び第二バルブがいずれもツーポジションタイプであり、
上記第一セルに第一バルブ及び第三バルブが直接に連結されており、
上記第二セルに第一バルブ及び第四バルブが直接に連結されており、
体重の負荷により、第一セルの流体の一部及び第二セルの流体の一部が、それぞれ、第三バルブ及び第四バルブから排出され、
第三バルブ及び第四バルブが閉塞された後に第一バルブ及び第二バルブのそれぞれにおいてポジションの変更がなされることにより、第一セルから排出された流体がコンプレッサーを通じて第二セルに注入される状態と第二セルから排出された流体がコンプレッサーを通じて第一セルに注入される状態とが切り替えられうるように構成された請求項２に記載のマット装置。
【請求項４】
上記多孔質体が平坦な上面を有しており、この上面及び多孔質体の下面が袋体と接合されている請求項１から３のいずれかに記載のマット装置。
【請求項５】
隣接するセル同士の間隔が５ｍｍ以上５０ｍｍ以下である請求項４に記載のマット装置。
【発明の詳細な説明】
【技術分野】
【０００１】
本発明は、椅子、ベッド等に適用されるマット装置に関する。
【背景技術】
【０００２】
入院患者が長期間寝たきりの生活を送ると、人体の特定部位がベッドに強く押し当てられる。患者の人体は局部的に圧迫されつづける。圧迫された部位では、血行不良が生じる。この血行不良は、褥瘡を招来する。同様の褥瘡は、身体障害者が椅子に座り続けたときにも生じうる。
【０００３】
褥瘡抑制の目的で、低反発な多孔質体からなるマットが用いられている。この多孔質体は、人体の形状に沿って容易に変形する。この変形により、マットは、広い面積で体重を支える。このマットにより人体にかかる圧力が分散されるので、褥瘡が抑制される。このようなマットは、「テンピュール」の商標にて市販されている。このマットでは、人体にかかる圧力は分散されるものの、人体の特定部位が圧迫され続ける。このマットでは、褥瘡の抑制効果は十分ではない。
【０００４】
褥瘡が抑制されうるエアマットも、提案されている。図６は、従来のエアマット２が示された断面図である。このエアマット２は、多数の空気室４を備えている。図示されていないが、このエアマット２では、それぞれの空気室４に、経路が接続される。この経路を通じて、空気室４に空気が注入される。この経路を通じて、空気室４から空気が排出される。空気の注入及び排出により、それぞれの空気室４ごとに膨張及び収縮がなされる。隣接する空気室４は、交互に膨張させられる。このエアマット２により、圧迫される人体の部位が移動する。このエアマット２により、褥瘡が抑制されうる。このようなマットは、実開平７−４２６３１号公報、特開２０００−１９７６７２公報、特開２００２−６５４０５公報及び特開２００６−２０４５６１公報に開示されている。
【特許文献１】実開平７−４２６３１号公報
【特許文献２】特開２０００−１９７６７２公報
【特許文献３】特開２００２−６５４０５公報
【特許文献４】特開２００６−２０４５６１公報
【発明の開示】
【発明が解決しようとする課題】
【０００５】
空気室４への空気の注入は、コンプレッサーによってなされる。適切な頻度で注入が行われるには、大型で高性能なコンプレッサーが必要である。しかし、ベッド、椅子等には、大型のコンプレッサーを取り付けるスペースが無い場合がある。可搬式ベッドや車椅子では、重いコンプレッサーの取付によって操作性が損なわれる。さらに、大型のコンプレッサーは消費電力が大きく、しかも騒音も激しい。可搬式ベッドや車椅子では、コンプレッサーの稼働のためのバッテリーが必要である。大型のコンプレッサーでは消費電力が大きいので、バッテリーの駆動時間が短い。
【０００６】
本発明の目的は、褥瘡が防止され、かつコンパクトであるマット装置の提供にある。
【課題を解決するための手段】
【０００７】
本発明に係るマット装置は、マット部と圧力調整部とを備える。このマット部は、第一セル及び第二セルを含む。この第一セル及び第二セルは、それぞれ、変形復元性を有する多孔質体と、この多孔質体を気密に包み込む袋体とを有する。圧力調整部は、第一セルへの流体の注入及び第一セルからの流体の排出を制御しうる。圧力調整部はさらに、第二セルへの流体の注入及び第二セルからの流体の排出を制御しうる。
【０００８】
好ましくは、圧力調整部は、第一セルから排出された流体を第二セルに注入し、第二セルから排出された流体を第二セルに注入しうる。この圧力調整部材は、第一バルブ、第二バルブ、第三バルブ、第四バルブ及びコンプレッサーを備える。第一バルブ及び第二バルブは、いずれもツーポジションタイプである。第一セルには、第一バルブ及び第三バルブが直接に連結される。第二セルには、第一バルブ及び第四バルブが直接に連結される。体重の負荷により、第一セルの流体の一部及び第二セルの流体の一部が、それぞれ、第三バルブ及び第四バルブから排出される。第三バルブ及び第四バルブが閉塞された後に第一バルブ及び第二バルブのそれぞれにおいてポジションの変更がなされることにより、第一セルから排出された流体がコンプレッサーを通じて第二セルに注入される状態と第二セルから排出された流体がコンプレッサーを通じて第一セルに注入される状態とが切り替えられうる。
【０００９】
好ましくは、多孔質体は、平坦な上面を有する。この上面及び多孔質体の下面は、袋体と接合される。好ましくは、隣接するセル同士の間隔は、５ｍｍ以上５０ｍｍ以下である。
【発明の効果】
【００１０】
このマット装置では、流体の内圧のみならず、多孔質体の圧縮応力によっても、体重が支えられる。多孔質体の圧縮応力が流体の内圧を補うので、多量の流体が流動させられる必要がない。このマット装置では、小型のコンプレッサーが用意されれば足りる。このマット装置は、コンパクトである。
【発明を実施するための最良の形態】
【００１１】
以下、適宜図面が参照されつつ、好ましい実施形態に基づいて本発明が詳細に説明される。
【００１２】
図１は、本発明の一実施形態に係るマット装置６が示された概念図である。このマット装置６は、マット部８と圧力調整部１０とを備えている。このマット装置６は、椅子の座板の上に敷かれて用いられる。
【００１３】
図２は、図１のマット装置６のマット部８が示された平面図である。図３は、図２の
III−III線に沿った断面図である。マット部８は、多数の第一セル１２及び多数の第二セル１４からなる。この例では、マット部８は、８個の第一セル１２と８個の第二セル１４とからなる。セルの合計数は、１６である。セルの合計数は、用途に応じ、適宜決定される。図１では、便宜的に１つの第一セル１２と１つの第二セル１４とが示されている。図３には、経路１６及び経路１８も示されている。
【００１４】
図２から明らかなように、第一セル１２と第二セル１４とは交互に配置されている。第一セル１２は、隣接する第二セル１４と、所定の間隔を隔てて位置している。第一セル１２及び第二セル１４の平面形状は、実質的に正方形である。他の形状のセルが用いられてもよい。マット部８が、３種以上のセルを備えてもよい。
【００１５】
図４は、図３のマット部８の第一セル１２が経路１６の一部と共に示された拡大断面図である。図示されていないが、第二セル１４の構成は、第一セル１２の構成と同等である。この第一セル１２は、多孔質体２０と、袋体２２と、通気孔２４とを備えている。多孔質体２０は、袋体２２に収容されている。多孔質体２０は、実質的に直方体である。この多孔質体２０は、平坦な上面２６を備えている。多孔質体２０の典型的なサイズは、縦が１００ｍｍであり、横が１００ｍｍであり、そして厚みが４０ｍｍである。袋体２２の容積は、４００ｃｍ３である。
【００１６】
多孔質体２０は、連続気泡を含むポリマー成形体である。多孔質体２０は、可撓性である。多孔質体２０は荷重によって変形し、荷重の除去によって復元する。多孔質体２０の基材ポリマーとして、合成樹脂又はゴムが用いられうる。合成樹脂材料の具体例としては、ポリウレタン、ポリエステル、ポリアミド、ポリオレフィン、ポリスチレン、ポリ塩化ビニル、エチレン−酢酸ビニル共重合体、シリコーン及び各種熱可塑性エラストマーが挙げられる。ゴムの具体例としては、天然ゴム、ポリイソプレン、ポリブタジエン、スチレン−ブタジエン共重合体、アクリロニトリル−ブタジエン共重合体及びエチレン−プロピレン−ジエン共重合体が挙げられる。加工性の観点から、ポリウレタンが好ましい。エステル系ポリウレタン及びエーテル系ポリウレタンのいずれもが、用いられうる。形状復元性に優れたエーテル系ポリウレタンが好ましい。
【００１７】
多孔質体２０の気泡は、化学的又は物理的な処理により得られる。具体的な製造方法としては、化学反応時の揮発性のガスを利用する方法、発泡剤を混合させる方法及び撹拌時に泡立たせる方法が挙げられる。
【００１８】
連続気泡の形成に好適な製造方法として、爆発法及び溶出法が挙げられる。爆発法では、ブロックが発泡成形された後、爆発力で単泡体の気泡の壁が破られて連続気泡が形成される。溶出法では、炭酸カルシウムの微粉末が練り込まれた材料からブロックが射出成形された後、このブロックが塩酸水中に浸漬されて粉末炭酸カルシウムが溶出される。
【００１９】
袋体２２は可撓性であり、かつ空気不透過性である。袋体２２は、多孔質体２０を気密に包み込んでいる。袋体２２は、合成樹脂製のフィルムからなる。袋体２２の基材ポリマーとしては、ポリウレタン、ポリオレフィン、ポリ塩化ビニル、ポリアミド、ポリエステル等が挙げられる。 ポリオレフィンの具体例としては、ポリエチレン及びポリプロピレンが挙げられる。材質の異なる複数のフィルムが積層されて、袋体２２が成形されてもよい。
【００２０】
布地に熱可塑性樹脂製のフィルムが溶着及び積層されてなるシートから、袋体２２が製作されてもよい。フィルムの材質としては、ポリアミド、ポリウレタン、ポリエステル、エチレン−酢酸ビニル共重合体及びポリオレフィンが例示される。
【００２１】
通気孔２４は、袋体２２に形成されている。この通気孔２４に、経路１６が通されている。
【００２２】
多孔質体２０の上面２６は、袋体２２と接合されている。接合の手段としては、接着剤又は熱溶着が挙げられる。液状のポリマー組成物が多孔質体２０の表面に塗工されることにより、このポリマー組成物からなる袋体２２が得られてもよい。塗工によって得られた袋体２２は、多孔質体２０と堅固に密着する。
【００２３】
図１に示されるように、圧力調整部１０は、コンプレッサー２８、第一バルブ３０、第二バルブ３２、第三バルブ３４、第四バルブ３５、制御部３６、第一流量計３８、第二流量計４０、第一圧力計４２及び第二圧力計４４を備えている。制御部３６は、Ａ／Ｄ変換器４６及びＤ／Ａ変換器４８を有している。
【００２４】
コンプレッサー２８は、ＩＮポートとＯＵＴポートとを備えている。ＩＮポートにより、コンプレッサー２８に空気が吸気される。ＯＵＴポートにより、コンプレッサー２８から空気が排気される。コンプレッサー２８には、図示されないバッテリーから電力が供給される。
【００２５】
第一バルブ３０は、Ａポート、２つのＰポート及び２つのＲポートを備えている。第一バルブ３０のスイッチが「ＯＦＦ」のとき、ＡポートとそれぞれのＲポートとが連通する。第一バルブ３０のスイッチが「ＯＮ」のとき、ＡポートとそれぞれのＰポートとが連通する。この第一バルブ３０は、ツーポジションタイプである。第二バルブ３２の構成は、第一バルブ３０の構成と同等である。第一バルブ３０の一方のＰポートは、第二バルブ３２の一方のＰポートと連結されている。第一バルブ３０の一方のＲポートは、第二バルブ３２の一方のＲポートと連結されている。第一バルブ３０及び第二バルブ３２により、いわゆるマニホールドバルブが形成されている。
【００２６】
第一バルブ３０の他方のＰポートは、経路１８によって第二セル１４に連結されている。第一バルブ３０の他方のＲポートは、経路１６によって第一セル１２に連結されている。第二バルブ３２の他方のＰポートは、閉塞されている。第二バルブの他方のＲポートは、閉塞されている。
【００２７】
経路１６の途中には第一圧力計及び第三バルブが配置されている。図１には示されていないが、経路１６は枝分かれしており、８個の第一セル１２に連結されている。経路１８の途中には第二圧力計及び第四バルブが配置されている。図１には示されていないが、経路１８は枝分かれしており、８個の第二セル１４に連結されている。
【００２８】
コンプレッサー２８のＯＵＴポートは、経路５４によって第一バルブ３０のＡポートに連結されている。この経路５４の途中には、第一流量計３８が配置されている。コンプレッサー２８のＩＮポートは、経路５６によって第二バルブ３２のＡポートに連結されている。この経路５６の途中には、第二流量計４０が配置されている。
【００２９】
このマット装置６では、第一セルに第一バルブ及び第三バルブが直接に連結されている。さらにこのマット装置６では、第二セルに第一バルブ及び第四バルブが直接に連結されている。
【００３０】
Ａ／Ｄ変換器４６は、第一流量計３８、第二流量計４０、第一圧力計４２及び第二圧力計４４から発信されるアナログ信号を、デジタル信号に変換する。Ｄ／Ａ変換器４８は、デジタル信号をアナログ信号に変換し、第一バルブ３０、第二バルブ３２、第三バルブ３４及び第四バルブ３５に向けて発信する。制御部３６は、Ａ／Ｄ変換器４６によって変換されたデジタル信号に基づき、第一バルブ３０、第二バルブ３２、第三バルブ３４及び第四バルブ３５を制御する。
【００３１】
図５は、図１のマット装置６の使用方法の一例が示されたフロー図である。初期状態では、第三バルブ３４及び第四バルブ３５が開放されている。従って、第一セル１２及び第二セル１４は、大気と連通している。第一セル１２及び第二セル１４の内部には、空気が含まれている。
【００３２】
このマット装置６が座板に敷かれた椅子に、利用者が着座する（ＳＴＥＰ１）。着座により、第一セル１２及び第二セル１４に体重がかかる。第一セル１２及び第二セル１４の多孔質体２０は、圧縮変形をおこす。第一セル１２の中の空気の一部は、経路１６及び第三バルブ３４を通じて大気中に排出される。残余の空気は、第一セル１２に残存する。第二セル１４の中の空気の一部は、経路１８及び第四バルブ３５を通じて大気中に排出される。残余の空気は、第二セル１４に残存する。体重は、多孔質体２０によって支持される。
【００３３】
着座（ＳＴＥＰ１）から所定時間経過後、第三バルブ３４及び第四バルブ３５が閉塞される（ＳＴＥＰ２）。さらに、第一バルブ３０が「ＯＮ」とされ、第二バルブ３２が「ＯＦＦ」とされる（ＳＴＥＰ３）。第一バルブ３０の「ＯＮ」により、コンプレッサー２８のＯＵＴポートが第二セル１４と連通する。第二バルブ３２の「ＯＦＦ」により、コンプレッサー２８のＩＮポートが第一セル１２と連通する。コンプレッサー２８の稼働により、第一セル１２の中の空気がこの第一セル１２から排出される。この空気は、経路１６、第一バルブ３０、第二バルブ３２及び経路５６を通じてコンプレッサー２８へと流動する。空気は、ＩＮポートを通じてコンプレッサー２８に吸気される。この空気は、コンプレッサー２８のＯＵＴポートから排気され、経路５４、第一バルブ３０及び経路１８を通じて第二セル１４へと流動する。空気は、第二セル１４の内部に注入される。第一セル１２からの空気の排出により、第一セル１２が減圧される。第二セル１４への空気の注入により、第二セル１４が加圧される。
【００３４】
空気の流量は、第一流量計３８及び第二流量計４０によって計測される。所定量の空気が流動した段階で、第二バルブ３２が「ＯＮ」とされる（ＳＴＥＰ４）。第一バルブ３０では、「ＯＮ」の状態が維持される。この状態では、第一セル１２の内圧は保持され、第二セル１４の内圧も保持される。第二セル１４の内圧は高く第一セル１２の内圧は低いので、人体Ｍ（図３参照）のうち、第二セル１４に当接している部位は強く圧迫され、第一セル１２に当接している部位は圧迫されない。第一セル１２に当接している部位では、血行不良は生じない。
【００３５】
所定時間経過後、第一バルブ３０が「ＯＦＦ」とされる（ＳＴＥＰ５）。第二バルブ３２は、「ＯＮ」の状態が維持される。第一バルブ３０の「ＯＦＦ」により、コンプレッサー２８のＯＵＴポートが第一セル１２と連通する。第二バルブ３２の「ＯＮ」により、コンプレッサー２８のＩＮポートが第二セル１４と連通する。コンプレッサー２８の稼働により、第二セル１４の中の空気がこの第二セル１４から排出される。この空気は、経路１８、第一バルブ３０、第二バルブ３２及び経路５６を通じてコンプレッサー２８へと流動する。空気は、ＩＮポートを通じてコンプレッサー２８に吸気される。この空気は、コンプレッサー２８のＯＵＴポートから排気され、経路５４、第一バルブ３０及び経路１６を通じて第一セル１２へと流動する。空気は、第一セル１２の内部に注入される。第二セル１４からの空気の排出により、第二セル１４が減圧される。第一セル１２への空気の注入により、第一セル１２が加圧される。
【００３６】
空気の流量は、第一流量計３８及び第二流量計４０によって計測される。所定量の空気が移動した段階で、第二バルブ３２が「ＯＦＦ」とされる（ＳＴＥＰ６）。第一バルブ３０では、「ＯＦＦ」の状態が維持される。この状態では、第一セル１２の内圧は保持され、第二セル１４の内圧も保持される。第一セル１２の内圧は高く第二セル１４の内圧は低いので、人体Ｍのうち、第一セル１２に当接している部位は強く圧迫され、第二セル１４に当接している部位は圧迫されない。第二セル１４に当接している部位では、血行不良は生じない。
【００３７】
利用者が着座している間、第二セル１４に空気が注入されるステップ（ＳＴＥＰ３）から、第一セル１２の内圧が高い状態が維持されるステップ（ＳＴＥＰ６）が繰り返される。利用を終了させるときは、第三バルブ３４及び第四バルブ３５が開放される（ＳＴＥＰ７）。開放により、第一セル１２及び第二セル１４が、大気と連通される。
【００３８】
第一圧力計４２は、第一セル１２の内圧を検知する。もし第二セル１４の内圧が過大である場合、第三バルブ３４を通じて空気が排出される。第二圧力計４４は、第二セル１４の内圧を検知する。もし第二セル１４の内圧が過大である場合、第四バルブ３５を通じて空気が排出される。排出により、セル１２、１４のパンクが防止される。
【００３９】
このマット装置６では、第一セル１２が減圧状態にあるとき、人体Ｍのうちこの第一セル１２に当接する部位が圧迫されない。第二セル１４が減圧状態にあるとき、人体Ｍのうちこの第二セル１４に当接する部位が圧迫されない。このマット装置６では、特定の部位における長時間の血行不良が生じない。このマット装置６では、褥瘡が抑制される。
【００４０】
前述の通り、多孔質体２０の上面２６は、袋体２２と接合されている。従って、袋体２２に内圧がかかっても、袋体２２が上方へと膨出しない。袋体２２の形状には、多孔質体２０の形状が反映される。従って、マット部８の座面は、ほぼ平坦である。図６に示されたエアマット２では、内圧により、空気室４が上方へと膨出する。従って、図６に示されるように、エアマット２と人体Ｍとの接触面積は小さい。小さな接触面積は、利用者に違和感を与える。図３から明らかなように、本発明に係るマット装置６では、マット部８と人体Ｍとの接触面積が大きい。このマット装置６は、利用者に心地よさを与える。
【００４１】
図６において矢印Ｘ２で示されているのは、人体とエアマット２とが接触していない部位の距離である。前述の通り、エアマット２と人体Ｍとの接触面積が小さいので、距離Ｘは大きい。従って、利用者の違和感の緩和のためには、空気室４とこれに隣接する空気室４との距離Ｙ２が小さく設定される必要がある。本発明に係るマット装置６では、図３に示されるように、第一セル１２とこれに隣接する第二セル１４との距離Ｙ１が距離Ｙ２よりも大きいにもかかわらず、距離Ｘ１は距離Ｘ２よりも小さい。換言すれば、このマット装置６では、距離Ｙ１が大きく設定されうる。大きな距離Ｙ１は、マット部８の通気性に寄与する。このマット装置６では、蒸れが抑制されうる。蒸れの抑制の観点から、距離Ｙ１は５ｍｍ以上が好ましく、７ｍｍ以上がより好ましい。違和感の抑制の観点から、距離Ｙ１は５０ｍｍ以下が好ましく、３０ｍｍ以下がより好ましい。
【００４２】
上面２６のみならず、多孔質体２０の下面５８（図４参照）も、袋体２２と接合されることが好ましい。上面２６及び下面５８の接合により、マット部８が安定する。多孔質体２０の側面６０は、袋体２２と接合されないことが好ましい。袋体２２の、側面６０に当接する部位がフリーであることにより、セル１２、１４の内圧が適正化されうる。
【実施例】
【００４３】
以下、実施例によって本発明の効果が明らかにされるが、この実施例の記載に基づいて本発明が限定的に解釈されるべきではない。
【００４４】
［実施例］
図１から図４に示されたマット装置を用意した。このマット装置の各セルの容積は、４００ｃｃである。全てのセルの合計容積は、６４００ｃｃである。このマット装置を用い、図５に示されたフローを実行した。着座（ＳＴＥＰ１）により、マット部から２２００ｃｃの空気が大気へと排出された。従って、マット部に残った空気は、４２００ｃｃである。ＳＴＥＰ３において第二セルの空気が全て第一セルに流動した場合、空気の流量は２１００ｃｃである。ＳＴＥＰ５において第一セルの空気が全て第二セルに流動した場合、空気の流量は４２００ｃｃである。
【００４５】
［比較例］
図６に示されたエアマットを用意した。このエアマットは、８個の第一空気室と、８個の第二空気室とを備えている。各空気室の容積は、４００ｃｃである。全ての空気室の合計容積は、６４００ｃｃである。このエアマットは多孔質体を備えていないので、着座に先立ち、全ての空気室に空気が充満される必要がある。この充満のための空気の流量は、６４００ｃｃである。第二空気室の空気が全て第一空気室に流動した場合、空気の流量は３２００ｃｃである。その後に第一空気室の空気が全て第二空気室に流動した場合、空気の流量は６４００ｃｃである。
【００４６】
[対比]
実施例のマット装置及び比較例のエアマットを対比した結果が、下記に示される。
実施例              比較例
準備のステップ                    ０ｃｃ        ６４００ｃｃ
第一回目の空気の移動        ２１００ｃｃ        ３２００ｃｃ
第二回目の空気の移動        ４２００ｃｃ        ６４００ｃｃ
【００４７】
この評価結果から明らかなとおり、実施例のマット装置では、空気の流量が少ない。このマット装置では、コンプレッサーにかかる負荷が小さい。このマット装置では、小型のコンプレッサーが用意されれば足りる。小型のコンプレッサーでは、消費電力が少なく、しかも騒音が小さい。このマット装置が車椅子に用いられる場合、小型のバッテリーが用意されれば足りる。
【産業上の利用可能性】
【００４８】
本発明に係るマット装置は、椅子のみならず、ベッド、ソファー等にも用いられうる。
【図面の簡単な説明】
【００４９】
【図１】図１は、本発明の一実施形態に係るマット装置が示された概念図である。
【図２】図２は、図１のマット装置のマット部が示された平面図である。
【図３】図３は、図２のIII−III線に沿った断面図である。
【図４】図４は、図３のマット部の第一セルが経路の一部と共に示された拡大断面図である。
【図５】図５は、図１のマット装置の使用方法の一例が示されたフロー図である。
【図６】図６は、従来のエアマットが示された断面図である。
【符号の説明】
【００５０】
６・・・マット装置
８・・・マット部
１０・・・圧力調整部
１２・・・第一セル
１４・・・第二セル
２０・・・多孔質体
２２・・・袋体
２８・・・コンプレッサー
３０・・・第一バルブ
３２・・・第二バルブ
３４・・・第三バルブ
３５・・・第四バルブ
３６・・・制御部
【図１】
2009082216.tif 000003
【図２】
2009082216.tif 000004
【図３】
2009082216.tif 000005
【図４】
2009082216.tif 000006
【図５】
2009082216.tif 000007
【図６】
2009082216.tif 000008